(57)【要約】【課題】端子金具をボルトでバスバに締結するコネクタハウジングにおいて、端子金具の緩みを抑制可能なコネクタハウジングを提供すること。【解決手段】コネクタハウジング６は、端子金具３がボルト６１によって締結されるバスバ７と、バスバ７を収容するハウジング４と、端子金具３とバスバ７との接続箇所を覆うようにハウジング４に取り付けられるカバー５と、を備える。カバー５は、端子金具３に当接する当接部５８であって、締結時にボルト６１が回転される締結向きと逆向きの緩み向きに、端子金具３が接続箇所を中心に回転することを抑制する当接部５８を有する。端子金具３は、端子金具３を電線２に加締めて取り付ける芯線加締部２２を有し、カバー５は、当接部として、端子金具３を電線２に取り付けるときに芯線加締部２２に形成される凹部２４に挿入されて当接する凸部５８を有する。【選択図】図５
2020170633.tif 000002
【特許請求の範囲】
【請求項１】
端子金具がボルトを用いた締結によって接続されるバスバと、前記バスバを収容するハウジングと、前記端子金具と前記バスバとの接続箇所を覆うように前記ハウジングに取り付けられるカバーと、を備えるコネクタハウジングであって、
前記カバーは、
前記ハウジングに取り付けられたときに前記端子金具に当接する当接部であって、前記締結の際に前記ボルトが回転する締め付け側と逆向きの緩み側に前記端子金具が回転するように変位することを抑制する、当接部を有する、
コネクタハウジング。
【請求項２】
請求項１に記載のコネクタハウジングにおいて、
前記端子金具は、
当該端子金具を電線に圧着する一対の加締片を有し、前記一対の前記加締片を互いに突き合わせながら前記電線の外周面を覆うように前記電線に圧着され、
前記カバーは、
前記端子金具を前記電線に圧着したときに前記一対の前記加締片の間に生じる凹部に挿入される凸部を、前記当接部として有する、
コネクタハウジング。
【請求項３】
電線と、前記電線に圧着される端子金具と、請求項１又は請求項２に記載のコネクタハウジングと、を備えるコネクタハウジング付き電線であって、
前記電線の前記緩み側において、前記電線と前記コネクタハウジングとの間に隙間を有する、
コネクタハウジング付き電線。
【発明の詳細な説明】
【技術分野】
【０００１】
本発明は、端子金具がボルト締結によって接続されるバスバと、そのバスバを収容するハウジングと、を備えるコネクタハウジング、及び、そのコネクタハウジングを用いるコネクタハウジング付き電線、に関する。
【背景技術】
【０００２】
従来から、ボルト締結によって対象物同士を電気的に接続する構造が提案されている。例えば、従来のこの種の構造の一つは、アース端子をアース部材にボルト締結するにあたり、アース端子がボルト周りに意図せず回転することを防ぐべく、アース部材に端子固定部を設けている。この端子固定部は、アース端子とアース部材との締結箇所の近傍でアース端子を固定し、アース端子の意図しない回転を防ぐ（いわゆる回り止めを行う）ようになっている（例えば、特許文献１を参照）。
【先行技術文献】
【特許文献】
【０００３】
【特許文献１】特開２０１４−１１６１１９号公報
【発明の概要】
【発明が解決しようとする課題】
【０００４】
上述した従来の構造は、複数のアース端子を一箇所にまとめた状態で一括してアース部材に締結するようになっている。そのため、締結箇所の近傍に設けた一つの端子固定部により、複数のアース端子を一纏めに固定できている。ところが、仮に従来の構造を用いて複数のアース端子をアース部材の様々な箇所に締結する場合、複数の端子固定部をアース部材の様々な箇所に分散させて配置することになる。通常、アース部材の形状や大きさ等には設計上の制限があるため、複数の端子固定部をアース部材の様々な箇所に自在に設けることは困難である。
【０００５】
このように、ボルトによる締結箇所が分散して配置される場合、一般に、上述した従来の構造をそのまま適用することは困難である。そこで、アース端子とアース部材との接続に限らず、ボルトによる締結箇所が分散して配置される場合であっても容易に端子の回り止めを行うことが可能な構造が望まれている。
【０００６】
本発明は、上述した事情に鑑みてなされたものであり、その目的は、端子金具をバスバにボルト締結するコネクタハウジングにおいて、端子金具が回転するように変位すること抑制可能なコネクタハウジング、及び、コネクタハウジング付き電線、を提供することにある。
【課題を解決するための手段】
【０００７】
前述した目的を達成するために、本発明に係るコネクタハウジング及びコネクタハウジング付き電線は、下記［１］〜［３］を特徴としている。
［１］
端子金具がボルトを用いた締結によって接続されるバスバと、前記バスバを収容するハウジングと、前記端子金具と前記バスバとの接続箇所を覆うように前記ハウジングに取り付けられるカバーと、を備えるコネクタハウジングであって、
前記カバーは、
前記ハウジングに取り付けられたときに前記端子金具に当接する当接部であって、前記締結の際に前記ボルトが回転する締め付け側と逆向きの緩み側に前記端子金具が回転するように変位することを抑制する、当接部を有する、
コネクタハウジングであること。
［２］
上記［１］に記載のコネクタハウジングにおいて、
前記端子金具は、
当該端子金具を電線に圧着する一対の加締片を有し、前記一対の前記加締片を互いに突き合わせながら前記電線の外周面を覆うように前記電線に圧着され、
前記カバーは、
前記端子金具を前記電線に圧着したときに前記一対の前記加締片の間に生じる凹部に挿入される凸部を、前記当接部として有する、
コネクタハウジングであること。
［３］
電線と、前記電線に圧着される端子金具と、上記［１］又は上記［２］に記載のコネクタハウジングと、を備えるコネクタハウジング付き電線であって、
前記電線の前記緩み側において、前記電線と前記コネクタハウジングとの間に隙間を有する、
コネクタハウジング付き電線であること。
【０００８】
上記［１］の構成のコネクタハウジングによれば、端子金具とバスバとの接続箇所を覆うようにハウジングに取り付けられるカバーに、端子金具が緩むように回転することを抑制する当接部を設ける。仮に端子金具とバスバとの接続箇所が複数に及ぶ場合であっても、接続箇所の数や配置等に応じてカバーを設計すれば、コネクタハウジングの形状や大きさ等に影響を及ぼすことなく、接続箇所ごとに当接部を配置させ、端子金具の緩みを抑制できる。よって、本構成のコネクタハウジングは、端子金具をバスバにボルト締結するコネクタハウジングにおいて、端子金具とバスバとの接続箇所が一つであっても複数であっても端子金具の緩みを適正に抑制可能である。
【０００９】
上記［２］の構成のコネクタハウジングによれば、端子金具を電線に取り付けるときに一対の加締片の間に形成される凹部（加締片同士の間の隙間）に、カバーが有する凸部を挿入することで、端子金具の緩みを抑制できる。よって、一般的な構造の加締片を有する端子金具に過度な設計変更を要することなく、端子金具の緩みを抑制可能なコネクタハウジングを構成できる。
【００１０】
上記［３］の構成のコネクタハウジング付き電線によれば、端子金具とバスバとの接続箇所を覆うようにハウジングに取り付けられるカバーに、端子金具が緩むように回転することを抑制する当接部を設ける。仮に端子金具とバスバとの接続箇所が複数に及ぶ場合であっても、接続箇所の数や配置等に応じてカバーを設計すれば、コネクタハウジングの形状や大きさ等に影響を及ぼすことなく、接続箇所ごとに当接部を配置させ、端子金具の緩みを抑制できる。よって、電線とカバーとの間の隙間を適正に維持できる。その結果、実際の使用時に電線とカバーとが接触して電線が傷つくこと等が抑制される。
【発明の効果】
【００１１】
このように、本発明によれば、端子金具をバスバにボルト締結するコネクタハウジングにおいて、端子金具が回転するように変位すること抑制可能なコネクタハウジング、及び、コネクタハウジング付き電線、を提供できる。
【００１２】
以上、本発明について簡潔に説明した。更に、以下に説明される発明を実施するための形態を添付の図面を参照して通読することにより、本発明の詳細は更に明確化されるであろう。
【図面の簡単な説明】
【００１３】
【図１】図１は、本発明の実施形態に係るコネクタハウジング付き電線の斜視図である。
【図２】図２は、コネクタハウジング付き電線の分解斜視図である。
【図３】図３は、ハウジングに端子金具を締結固定する際の様子を示す斜視図である。
【図４】図４は、カバーの斜視図である。
【図５】図５（ａ）は、端子金具が正規位置にある場合におけるコネクタハウジング付き電線の主要断面図であり、図５（ｂ）は、図５（ａ）におけるその端子金具の周囲を拡大した拡大図である。
【図６】図６（ａ）は、端子金具が正規位置から緩み向きに回転した位置にある場合におけるコネクタハウジング付き電線の主要断面図であり、図６（ｂ）は、図６（ａ）におけるその端子金具の周囲を拡大した拡大図である。
【発明を実施するための形態】
【００１４】
＜実施形態＞
以下、図面を参照しながら、本発明の実施形態に係るコネクタハウジング付き電線１について説明する。コネクタハウジング付き電線１は、典型的には、車両の駆動系を構成する変速機のハウジング等に取り付けられて使用される。別の言い方をすると、コネクタハウジング付き電線１は、車両用のワイヤハーネスの一部を構成する部材である。
【００１５】
以下、説明の便宜上、図２に示すように、「前後方向」、「左右方向」、「上下方向」、「前」、「後」、「左」、「右」、「上」、及び「下」を定義する。「前後方向」、「左右方向」及び「上下方向」は、互いに直交している。前後方向は、ハウジング４が相手側コネクタの相手側ハウジング８と嵌合する方向と一致しており、相手側ハウジング８が嵌合する嵌合方向正面側（図２において左下側）が前側とされ、その反対の嵌合方向背面側（図２において右上側）が後側とされている。
【００１６】
図１に示すコネクタハウジング付き電線１は、図２に示すように、電線２と、電線２に取り付けられる端子金具３と、端子金具３が締結固定されるハウジング４と、ハウジング４に取り付けられるカバー５と、を備える。ハウジング４及びカバー５により、本発明の実施形態に係るコネクタハウジング６が構成される。以下、コネクタハウジング付き電線１を構成する部品について順に説明する。
【００１７】
先ず、電線２について説明する。電線２は、図３に示すように、導体芯線１１と、導体芯線１１を覆う樹脂被覆１２と、で構成されている。電線２の端末部では、所定の端末処理が施されて、樹脂被覆１２が除去されて導体芯線１１が露出している。電線２は、典型的には、接地（アース）されて使用される。
【００１８】
次いで、端子金具３について説明する。金属製の端子金具３は、図３に示すように、ボルト孔が形成された丸形平板状の端子部２１と、端子部２１に隣接すると共に電線２の露出する導体芯線１１に加締められる一対の加締め片を有する芯線加締部２２と、芯線加締部２２に隣接すると共に電線２の樹脂被覆１２の先端部に加締められる一対の加締め片を有する被覆加締部２３と、を一体に有する。
【００１９】
芯線加締部２２は、図５に示すように、導体芯線１１を覆うように屈曲された一対の加締め片の先端同士が並んで導体芯線１１に食い込むことで、断面形状が一対の山部を含む略Ｍ字状の形状を有する所謂Ｍ型の加締部を構成している。この結果、芯線加締部２２における一対の加締め片の先端同士の上部にて、下方に窪むと共に端子金具３の長手方向に延びる凹部２４（図５（ｂ）参照）が形成されている。被覆加締部２３も、芯線加締部２２と同様、所謂Ｍ型の加締部を構成している。
【００２０】
次いで、ハウジング４について説明する。樹脂製のハウジング４は、図３に示すように、本体部３１と、本体部３１の前側に位置するコネクタ嵌合部３２と、本体部３１の後側に位置するカバー取付部３３と、を一体に備える。ハウジング４の内部には、インサート成形により、所定の形状を有するバスバ７（金属板）が一体化されている。
【００２１】
本体部３１は、図２及び図３に示すように、円筒状部分を有し、その円筒状部分の後端部にて、円筒状部分の径方向外側に所定の形状を有して突出するフランジ部３４を有している。フランジ部３４には、前後方向に貫通する複数のボルト孔３５が形成されている。本体部３１は、典型的には、車両の変速機のハウジングの円形の開口部（図示省略）に、本体部３１の円筒状部分を挿入し、ボルト孔３５に挿通されるボルトを用いてフランジ部３４を当該ハウジングに締結固定することで、当該ハウジングに固定される。本体部３１が当該ハウジングに固定された状態では、コネクタ嵌合部３２（即ち、コネクタ嵌合部３２に嵌合されることになる相手側コネクタ）は、空気中に位置し、カバー取付部３３（即ち、カバー取付部３３に取り付けられることになるカバー５）は、変速機の潤滑油中に位置することになる。
【００２２】
コネクタ嵌合部３２は、図２に示すように、前方に開口する矩形のフード状の形状を有している。コネクタ嵌合部３２の内部空間には、本体部３１から前方に延びる棒状の接続部３６（図２参照）が設けられている。接続部３６の側面の一部には、ハウジング４に内蔵されたバスバ７の一部であるバスバ接続部４３（図２参照）が前後方向に延びるように露呈している。
【００２３】
コネクタ嵌合部３２には、相手側コネクタの相手側ハウジング８（図２参照）が、挿入され嵌合されることになる。これにより、相手側ハウジング８に収容されたメス端子（図示省略）が接続部３６に挿入されて、バスバ接続部４３とメス端子とが電気的に接続されることで、メス端子に接続された相手側電線９（図２参照）と、ハウジング４に内蔵されたバスバ７とが電気的に接続されることになる。
【００２４】
カバー取付部３３は、端子金具３が締結固定される部位であり、且つ、カバー５が取り付けられる部位でもある。カバー取付部３３には、図３に示すように、本体部３１から左右方向に拡がり且つ後方に延びる平板状の端子接続部３７が、上下方向に所定距離だけ離れて上下２段で設けられている。各端子接続部３７の上面の一部には、ハウジング４に内蔵されたバスバ７の一部である平面状のバスバ締結部４２（図３参照）が露呈している。各バスバ締結部４２には、端子金具３が締結固定されることになる。これにより、端子金具３に接続された電線２と、ハウジング４に内蔵されたバスバ７とが電気的に接続されることになる。
【００２５】
カバー取付部３３には、図３に示すように、上側の端子接続部３７の上方位置にて、本体部３１から左右方向に拡がり且つ後方に延びる平板状のガイド片３８が設けられている。ガイド片３８の上面には、上方に突出する係止突起３８ａが形成されている。上下一対の端子接続部３７の左方位置にて、本体部３１から上下方向に拡がり且つ後方に延びる平板状のガイド片３９が設けられている。ガイド片３９の左面には、左方に突出する係止突起３９ａが形成されている。
【００２６】
下側の端子接続部３７の下方位置にて、本体部３１から左右方向に拡がり且つ後方に延びる平板状のガイド片４１が設けられている。ガイド片４１の左右方向両端部には、前後方向に延びる一対のレール係合部４１ａが形成されている。ガイド片３８，３９，４１は、カバー取付部３３にカバー５を取り付ける際にカバー５を案内し、且つ、カバー取付部３３にカバー５を固定する機能を発揮する。
【００２７】
次いで、カバー５について説明する。樹脂製のカバー５は、図４に示すように、前方及び下方に開口する略直方体状の箱状の筐体部５１を有する。筐体部５１の内部空間には、筐体部５１の後壁部の内面から左右方向に拡がり且つ前方に延びる平板状の隔壁部５２が形成されている。筐体部５１の内部空間において、隔壁部５２の上側領域及び下側領域は、それぞれ、端子金具３を収容する端子収容空間５３として機能する。
【００２８】
筐体部５１の右壁部には、上下一対の端子収容空間５３と左右方向にそれぞれ連通するように、前方に開口し後方に窪む上下一対の電線引出部５４が形成されている。各電線引出部５４は、対応する端子収容空間５３に収容されている端子金具３に接続されている電線２を外部（右方）に引き出すための開口部として機能する。
【００２９】
筐体部５１の上壁部の一部には、ハウジング４のガイド片３８に対応して、前方に向けて片持ち梁状に延びる舌状の係止片５５が形成されている。筐体部５１の左壁部の一部には、ハウジング４のガイド片３９に対応して、前方に向けて片持ち梁状に延びる舌状の係止片５６が形成されている。筐体部５１の下端部には、ハウジング４の一対のレール係合部４１ａに対応して、前後方向に延びる一対のレール係合部５７が形成されている。
【００３０】
筐体部５１の上壁部の所定位置には、上側の端子収容空間５３に収容される端子金具３に対応して、上壁部の下面から下方に突出する凸部５８が形成されている。隔壁部５２の所定位置にも、下側の端子収容空間５３に収容される端子金具３に対応して、隔壁部５２の下面から下方に突出する凸部５８が形成されている。図５に示すように、カバー５がハウジング４のカバー取付部３３に取り付けられた状態にて、一対の凸部５８それぞれが、対応する端子金具３の芯線加締部２２の凹部２４に挿入され当接されることになる（図５（ｂ）参照）。凸部５８を設けたことによる作用・効果については後述する。以上、コネクタハウジング付き電線１を構成する部品について順に説明した。
【００３１】
次いで、コネクタハウジング付き電線１の組み付け手順について説明する。まず、図３に示すように、ハウジング４の一対の端子接続部３７（バスバ締結部４２）に、電線２が接続された端子金具３をそれぞれ締結固定する。このため、電線２が接続された端子金具３の端子部２１のボルト孔に挿通されたワッシャ６２付きのボルト６１を用いて、ハウジング４の一対の端子接続部３７の上面に露呈するバスバ締結部４２それぞれに、端子金具３を正規位置に向くように締結固定する。これにより、端子金具３に接続された電線２と、ハウジング４に内蔵されたバスバ７とが電気的に接続される。
【００３２】
ボルト６１の締結向き（ボルト６１が締め付けられる回転方向）は、上方からみて時計回り方向（右回り方向）である。各端子金具３が正規位置にある状態では、図１に示すように、各端子金具３が接続箇所（端子部２１）から右方に延出するため、各端子金具３に接続されている電線２も右方に延出している。
【００３３】
次いで、ハウジング４のカバー取付部３３に、端子金具３の接続箇所を覆うようにカバー５を取り付ける。このため、カバー取付部３３にカバー５を後方から近づける。そして、一対の端子金具３が一対の端子収容空間５３に進入するように、一対の電線２がカバー５の一対の電線引出部５４に進入するように、且つ、カバー取付部３３のガイド片３８及びガイド片３９に、カバー５の筐体部５１の上壁の内面、及び、筐体部５１の左壁の内面がそれぞれ案内されるように、且つ、カバー取付部３３のガイド片４１の一対のレール係合部４１ａに筐体部５１の一対のレール係合部５７がそれぞれ係合しながらスライドするように、カバー５をカバー取付部３３に対して前方へ移動させる。
【００３４】
カバー５の前方への移動は、筐体部５１の前端面がハウジング４の本体部３１（より具体的にはフランジ部３４）の後端面に当接する取付完了位置（図５参照）にカバー５が到達するまで継続される。カバー５が取付完了位置に到達する直前位置にて、カバー５における筐体部５１の上壁部及び隔壁部５２にそれぞれ設けられた一対の凸部５８が、ハウジング４に締結固定されている一対の端子金具３のＭ型の芯線加締部２２における後側の山部にそれぞれ当接する。
【００３５】
カバー５が当該直前位置から取付完了位置まで移動すると、凸部５８の当該山部からの押圧に起因する筐体部５１の上壁部及び隔壁部５２の上方への一時的な弾性変形を経て、一対の凸部５８が、それぞれの当該山部を乗り超えて、一対の芯線加締部２２の凹部２４にそれぞれ挿入され当接される（図５（ｂ）参照）。加えて、ガイド片３８，３９の係止突起３８ａ，３９ａがそれぞれカバー５の係止片５５，５６に係止される。
【００３６】
これにより、カバー５が取付完了位置に保持されて、カバー５のハウジング４からの分離が防止される。以上により、カバー５のハウジング４への取り付けが完了し、図１に示すように、コネクタハウジング付き電線１が得られる。
【００３７】
カバー５の取付完了状態では、ハウジング４にカバー５が保持された状態で、カバー５の一対の凸部５８が一対の端子金具３の凹部２４にそれぞれ挿入されている。よって、締結後の一対の端子金具３が、正規位置から意図せずに緩み向き（ボルト６１が緩められる回転方向、上方からみて反時計回り方向（左回り方向））に回転することが抑制され得る。
【００３８】
更に、電線２は、カバー５の電線引出部５４から引き出されている。端子金具３が正規位置にある状態では、電線２と電線引出部５４の縁部との間には隙間が存在する。このため、電線２と電線引出部５４の縁部とが接触して電線２が傷つくこと等が抑制される。
【００３９】
他方、図６に示すように、締結後の上側の端子金具３が何らかの理由により正規位置から緩み向きに僅かに回転した位置にある状態にて、カバー５をハウジング４に取り付けた場合、カバー５の上側の凸部５８が上側の端子金具３のＭ型の芯線加締部２２における前側の山部に乗り上げた状態に維持される（図６（ｂ）参照）。この結果、カバー５の筐体部５１の上壁部が上方に弾性変形して浮いた状態に維持される（図６（ｂ）の白矢印参照）。このため、カバー５の筐体部５１の上壁部の浮きを検出することで、上側の端子金具３が正規位置から緩み向きに回転していることを検知できる。
【００４０】
図１に示す完成したコネクタハウジング付き電線１は、車両の変速機のハウジングに取付られると共に、コネクタ嵌合部３２に相手側コネクタの相手側ハウジング８が挿入され嵌合される。これにより、上述したように、相手側ハウジング８に収容されたメス端子（図示省略）と、ハウジング４に内蔵されたバスバ７とが電気的に接続される。
【００４１】
この結果、相手側ハウジング８のメス端子に接続された相手側電線９（図２参照）と、端子金具３に接続された電線２とが、ハウジング４に内蔵されたバスバ７を介して、電気的に接続される。電線２は、車両の所定のアースポイントに接地（アース）される。これにより、電線２に電気的に接続された相手側電線９も接地（アース）される。
【００４２】
コネクタハウジング付き電線１が車両の変速機のハウジングに取付られた状態では、上述したように、カバー取付部３３（即ち、カバー５）は、変速機の潤滑油中に位置する。よって、カバー取付部３３のバスバ締結部４２も潤滑油に晒されることになる。ハウジング４にカバー５を取り付けることで、潤滑油中の金属粉がバスバ締結部４２に接触することが抑制され得る。
【００４３】
＜作用・効果＞
以上、本発明の実施形態に係るコネクタハウジング付き電線１によれば、端子金具３とバスバ７（バスバ締結部４２）との接続箇所を覆うようにハウジング４に取り付けられるカバー５に、端子金具３が緩むように回転することを抑制する凸部５８（当接部）を設ける。接続箇所の数や配置等に応じてカバー５を設計すれば、コネクタハウジング６の形状や大きさ等に影響を及ぼすことなく、接続箇所ごとに凸部５８（当接部）を配置させ、端子金具３の緩みを抑制できる。よって、本構成のコネクタハウジング付き電線１は、端子金具３をボルト６１でバスバ７に締結する際において、端子金具３の緩みを抑制可能である。
【００４４】
更に、コネクタハウジング付き電線１によれば、端子金具３を電線２に取り付けるときに芯線加締部２２に形成される凹部２４に、カバー５が有する凸部５８を挿入することで、端子金具３の緩みを抑制できる。よって、端子金具３に過度な設計変更を要することなく、端子金具３の緩みを抑制可能なコネクタハウジング付き電線１を構成できる。
【００４５】
更に、コネクタハウジング付き電線１によれば、電線２とカバー５の電線引出部５４の縁部との間の隙間が維持されるので、実際の使用時に電線２と電線引出部５４の縁部とが接触して電線２が傷つくこと等が抑制される。
【００４６】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
上記実施形態では、カバー５に設けられた一対の当接部（凸部５８）が、ハウジング４に締結固定された一対の端子金具３の凹部２４にそれぞれ挿入されることで、締結後の一対の端子金具３が、正規位置から意図せずに緩み向きに回転することが抑制される。これに対し、カバー５に設けられた単一の当接部（凸部５８）が、ハウジング４に締結固定された単一の端子金具３の凹部２４に挿入されていてもよい。この場合、締結後の単一の端子金具３が、正規位置から意図せずに緩み向きに回転することが抑制される。同様に、カバー５に設けられた３つ以上の当接部（凸部５８）が、ハウジング４に締結固定された３つ以上の端子金具３の凹部２４にそれぞれ挿入されていてもよい。この場合、締結後の３つ以上の端子金具３が、正規位置から意図せずに緩み向きに回転することが抑制される。
【００４８】
ここで、上述した本発明に係るコネクタハウジング６及びコネクタハウジング付き電線１の実施形態の特徴をそれぞれ以下［１］〜［３］に簡潔に纏めて列記する。
［１］
端子金具（３）がボルト（６１）を用いた締結によって接続されるバスバ（７）と、前記バスバ（７）を収容するハウジング（４）と、前記端子金具（３）と前記バスバ（７）との接続箇所を覆うように前記ハウジング（４）に取り付けられるカバー（５）と、を備えるコネクタハウジング（６）であって、
前記カバー（５）は、
前記ハウジング（４）に取り付けられたときに前記端子金具（３）に当接する当接部（５８）であって、前記締結の際に前記ボルト（６１）が回転する締め付け側と逆向きの緩み側に前記端子金具（３）が回転するように変位することを抑制する、当接部（５８）を有する、
コネクタハウジング（６）。
［２］
上記［１］に記載のコネクタハウジング（６）において、
前記端子金具（３）は、
当該端子金具（３）を電線に圧着する一対の加締片（２２）を有し、前記一対の前記加締片（２２）を互いに突き合わせながら前記電線（２）の外周面を覆うように前記電線に圧着され、
前記カバー（５）は、
前記端子金具（３）を前記電線に圧着したときに前記一対の前記加締片（２２）の間に生じる凹部に挿入される凸部を、前記当接部（５８）として有する、
コネクタハウジング（６）。
［３］
電線と、前記電線に圧着される端子金具（３）と、上記［１］又は上記［２］に記載のコネクタハウジング（６）と、を備えるコネクタハウジング付き電線（１）であって、
前記電線の前記緩み側において、前記電線と前記コネクタハウジング（６）との間に隙間を有する、
コネクタハウジング付き電線（１）。
【符号の説明】
【００４９】
１      コネクタハウジング付き電線
２      電線
３      端子金具
４      ハウジング
５      カバー
６      コネクタハウジング
７      バスバ
２２    芯線加締部（加締片）
２４    凹部
５８    凸部（当接部）
６１    ボルト
【図１】
2020170633.tif 000003
【図２】
2020170633.tif 000004
【図３】
2020170633.tif 000005
【図４】
2020170633.tif 000006
【図５】
2020170633.tif 000007
【図６】
2020170633.tif 000008